(57)【要約】【課題】  扉の開閉による室圧変動を効果的に抑止し得る室圧制御システムを提供する。【解決手段】  開度の調整により対象室１ａ〜１ｃからの排気風量ｑｒ又は対象室１ａ〜１ｃへの給気風量ｑｓを調整する室圧調整用ダンパＶｒを設け、対象室１ａ〜１ｃの検出室圧ｐに基づき、室圧調整用ダンパＶｒの開度ｂ１〜ｂ３を調整して対象室１ａ〜１ｃの室圧ｐを目標室圧ｐｓに調整する室圧制御手段６Ｂを設ける室圧制御システムにおいて、対象室１ａ〜１ｃの扉１１，１２の開きが検出されたとき、室圧調整用ダンパＶｒの調整可能開度範囲ＺＺを縮小側に変更し、かつ、扉１１，１２の閉じが検出されたとき、室圧調整用ダンパＶｒの調整可能開度範囲ＺＺを増大側に復帰させる室圧安定化手段１３を設ける。【選択図】        図１
2006078086.tif 000002
【特許請求の範囲】
【請求項１】
開度の調整により対象室からの排気風量又は対象室への給気風量を調整する室圧調整用ダンパを設け、
前記対象室の検出室圧に基づき、前記室圧調整用ダンパの開度を調整して前記対象室の室圧を目標室圧に調整する室圧制御手段を設ける室圧制御システムであって、
前記対象室の扉の開きが検出されたとき、前記室圧調整用ダンパの調整可能開度範囲を縮小側に変更し、かつ、前記扉の閉じが検出されたとき、前記室圧調整用ダンパの調整可能開度範囲を増大側に復帰させる室圧安定化手段を設けてある室圧制御システム。
【請求項２】
前記室圧安定化手段を、前記扉の閉じが検出されたとき、前記調整可能開度範囲の増大側への復帰を前記扉の閉じの検出時点から設定遅延時間が経過した時点で実行する構成にしてある請求項１記載の室圧制御システム。
【請求項３】
排気ファンに接続した主排気風路に対して複数の前記対象室を並列的に接続する複数の分岐排気風路の夫々、又は、給気ファンに接続した主給気風路に対して複数の前記対象室を並列的に接続する分岐給気風路の夫々に前記室圧調整用ダンパを介装し、
前記室圧制御手段を、複数の前記対象室の各々について、対象室の検出室圧に基づき、その対象室に対する前記室圧調整用ダンパの開度を調整して対象室の室圧を目標室圧に調整する構成にし、
前記室圧制御手段による開度調整において複数の前記対象室に対する前記室圧調整用ダンパ夫々の開度が１００％開度未満の設定上限開度と０％開度よりも大きい設定下限開度との間の設定中間開度範囲内になるように、前記室圧調整用ダンパ夫々の検出開度に基づき前記排気ファン又は前記給気ファンの出力を調整して前記主排気風路又は前記主給気風路の風路圧を調整する風路圧制御手段を設け、
この構成において、前記室圧安定化手段を、複数の前記対象室の各々について、対象室の扉の開きが検出されたとき、その対象室に対する前記室圧調整用ダンパの調整可能開度範囲を縮小側に変更し、かつ、前記扉の閉じが検出されたとき、その対象室に対する前記室圧調整用ダンパの調整可能開度範囲を増大側に復帰させる構成にしてある請求項１又は２記載の室圧制御システム。
【発明の詳細な説明】
【技術分野】
【０００１】
本発明は、クリーンルーム施設などで用いる室圧制御システムに関し、詳しくは、開度の調整により対象室からの排気風量又は対象室への給気風量を調整する室圧調整用ダンパを設け、前記対象室の検出室圧に基づき、前記室圧調整用ダンパの開度を調整して前記対象室の室圧を目標室圧に調整する室圧制御手段を設ける室圧制御システムに関する。
【背景技術】
【０００２】
従来、この種の室圧制御システムにおいて、対象室の扉の開閉に原因する対象室の室圧変動を抑止するのに、扉の開きが検出されたとき室圧制御手段による室圧調整用ダンパの開度調整を停止（すなわち、室圧制御を停止）して、室圧調整用ダンパの開度を扉の開き時の開度に固定し、かつ、その扉の閉じが検出されたとき、室圧制御手段による室圧調整用ダンパの開度調整を再開するようにしたシステムが提案されている（下記特許文献１，２参照）。
【０００３】
また同じく、対象室の扉の開閉に原因する対象室の室圧変動を抑止するのに、扉の開きが検出されると、開度の調整速度を小さく制限した状態で室圧制御手段に室圧調整用ダンパの開度調整を実行させる制御状態に切り換え、かつ、その扉の閉じが検出されると、開度調整速度の制限を解除するようにしたシステムも提案されている（下記特許文献２参照）。
【０００４】
【特許文献１】特開昭６３−２４７５４２号
【特許文献２】特開平１−２５６７４３号
【発明の開示】
【発明が解決しようとする課題】
【０００５】
しかし、上記した従来のシステムでは、扉の開きによって対象室の室圧がそれまで保たれていた目標室圧から大きく変動した後における扉閉じ時の大きな室圧変動を抑止するには夫々、一定の効果があるものの、扉の開きで生じる室圧変動の発生形態によっては、室圧が目標室圧から外れるのを却って助長してしまう場合があり、この点、対象室の室圧を極力安定的に目標室圧に保つという所期の目的を達成する上で、未だ改善の余地があった。
【０００６】
つまり、室圧制御手段による室圧調整用ダンパの開度調整で対象室の室圧を目標室圧に調整する室圧制御を、対象室の扉が開き状態にある間も、その扉が閉じ状態にあるときと同様に継続する場合では、扉の開きによって対象室の室圧が目標室圧から大きく変動すると、その室圧変動がそもそも扉の閉じ後にしか解消し得ない発生形態のものであるにもかかわらず、室圧制御手段により室圧調整用ダンパの開度が扉開き時の室圧変動の解消側に調整されることで、室圧調整用ダンパが全開（１００％開度）や全閉（０％開度）ないしそれらに近い調整限界状態まで無意味に開度調整されて、対象室からの排気風量又は対象室への給気風量が扉の開き前とは全く異なる風量になってしまい、この状態において、扉が閉じられて扉を通じての漏洩風が遮断されることで、前記した扉閉じ時の大きな室圧変動（具体的には、漏洩風が遮断されることによる室圧変動と、それに続く室圧制御上のオーバーシュートに原因する室圧変動）が生じる。
【０００７】
これに対し、前記した従来のシステムは、扉が開き状態にある間、室圧制御手段による室圧調整用ダンパの開度調整を停止したり、開度の調整速度を小さく制限した状態で室圧制御手段に室圧調整用ダンパの開度調整を実行させることで、扉が開き状態にあるときの上記の如き室圧調整用ダンパの全開や全閉ないしその近傍への開度変化を防止し、これにより、扉閉じ時の大きな室圧変動を抑止するものであるが、研究の結果、扉の開きによって生じる室圧変動は必ずしも室圧制御手段による室圧調整用ダンパの開度調整をもって抑止し得ないものばかりではなく、例えば、扉の開き時間が極短い場合や、扉の開きによって通じる相手空間の圧力と対象室の目標室圧とにあまり差がない場合、あるいは、扉の開きによって通じる相手空間の容積や換気回数が対象室の容積や換気回数に比べ十分小さい場合などにおいて生じる扉開き時の室圧変動は比較的軽微な室圧変動であって、そのような軽微な室圧変動は、扉が開き状態にある状況下での室圧制御手段による室圧調整用ダンパの開度調整でも、ある程度は、また場合によっては十分に抑止し得ることを知見するに至った。
【０００８】
そして、従来のシステムでは、このような軽微な室圧変動に対しても、扉の開きの検出により、室圧制御手段による室圧調整ダンパの開度調整が停止されてしまう、又は、その開度調整の調整速度が小さく制限されてしまうことで、本来は抑止し得る室圧変動を許してしまう状態を招き、この意味で、従来のシステムでは対象室の室圧が目標室圧から外れるのを却って助長する場合を生じていた。
【０００９】
この実情に鑑み、本発明の主たる課題は、合理的かつ簡単な改良により、扉閉じ時の大きな室圧変動を効果的に抑止できるようにしながら、併せて、上記の如き従来システムの問題も効果的に解消できるようにする点にある。
【課題を解決するための手段】
【００１０】
〔１〕本発明の第１特徴構成は室圧制御システムに係り、その特徴は、
開度の調整により対象室からの排気風量又は対象室への給気風量を調整する室圧調整用ダンパを設け、
前記対象室の検出室圧に基づき、前記室圧調整用ダンパの開度を調整して前記対象室の室圧を目標室圧に調整する室圧制御手段を設ける室圧制御システムにおいて、
前記対象室の扉の開きが検出されたとき、前記室圧調整用ダンパの調整可能開度範囲を縮小側に変更し、かつ、前記扉の閉じが検出されたとき、前記室圧調整用ダンパの調整可能開度範囲を増大側に復帰させる室圧安定化手段を設けてある点にある。
【００１１】
つまり、この第１特徴構成によれば、扉の開き時における対象室の室圧変動が目標室圧からの大きな変動であって、そもそも扉の閉じ後にしか解消し得ない発生形態のもの（例えば、扉の開きによって通じる相手空間の圧力と対象室の目標室圧とに比較的大きな差があり、また、その相手空間の容積や換気回数に比べ対象室の容積や換気回数が小さい場合に生じる扉開き時の室圧変動など）である場合、室圧調整用ダンパの開度が室圧制御手段による室圧制御上で扉開き時の室圧変動の解消側に大きく調整されようとすることに対し、扉の開きの検出により室圧調整用ダンパの調整可能開度範囲が縮小側に変更されることから、室圧制御手段による室圧調整用ダンパの開度調整は縮小後の狭い調整可能開度範囲の上限開度又は下限開度までに制限され、これにより、扉が開き状態にあるときの対象室からの排気風量又は対象室への給気風量が扉の開き前とは全く異なった風量に調整されてしまうことを効果的に抑止することができる。そして、このことにより、扉の開き時における目標室圧からの大きな室圧変動に続いて生じる扉閉じ時の大きな室圧変動を効果的に抑止することができる。
【００１２】
また、第１特徴構成によれば、扉の開き時に室圧調整用ダンパの調整可能開度範囲を縮小側に変更するだけで、その縮小した調整可能開度範囲の範囲内では、室圧制御手段による室圧調整用ダンパの開度調整により対象室の室圧を目標室圧に調整する本来の室圧調整機能を扉の開き前と同様に発揮させることができるから、扉の開き時における室圧変動が室圧制御手段による室圧調整用ダンパの開度調整で抑止できる程度の軽微な室圧変動である場合には、縮小後の調整可能開度範囲の範囲内での室圧制御手段による室圧調整用ダンパの開度調整により、その扉開き時の室圧変動そのものを迅速に抑止して対象室の室圧を極力目標室圧に近い状態に保つことができ、これにより、先述の従来システムの如く扉開き時における室圧変動を却って助長してしまう事態を招くことを効果的に回避することができる。
【００１３】
すなわち、これらのことから、対象室の室圧を極力安定的に目標室圧に保つといった所期の目的を達成する上で、従来システムに比べ一層優れた室圧制御システムにすることができる。
【００１４】
なお、第１特徴構成の実施において、扉の開きを検出したときに室圧調整用ダンパの調整可能開度範囲を縮小するには、室圧制御手段において自己規制的に室圧調整用ダンパの調整可能開度範囲を縮小させる形態、あるいは、室圧制御手段の外部において強制的に室圧調整用ダンパの調整可能開度範囲を縮小する形態など、種々の縮小形態を採ることができる。
【００１５】
また、第１特徴構成の実施においては、扉の開きを検出したときに室圧調整用ダンパの調整可能開度範囲を上限開度側及び下限開度側の両方について縮小する形態に限らず、場合によっては、上限開度側あるいは下限開度側のいずれか一方についてのみ縮小する形態を採ってもよい。
【００１６】
そしてまた、扉の開きを検出したときに室圧調整用ダンパの調整可能開度範囲をどの程度縮小するかは、扉の開きにより通じる相手空間と対象室との関係などに基づいて決定すればよいが、室圧安定化手段において室圧変動の検出結果に基づき自己学習的に調整可能開度範囲の縮小幅を自動で決定させるようにしてもよい。
【００１７】
第１特徴構成の実施において、扉の開きにより対象室と通じる相手空間は、対象室と同様の室圧調整を実施する室内空間、あるいは、室圧調整を実施しない室内空間、また場合によっては屋外空間など、どのような空間であってもよい。
【００１８】
〔２〕本発明の第２特徴構成は、第１特徴構成の実施に好適な実施形態を特定するものであり、その特徴は、
前記室圧安定化手段を、前記扉の閉じが検出されたとき、前記調整可能開度範囲の増大側への復帰を前記扉の閉じの検出時点から設定遅延時間が経過した時点で実行する構成にしてある点にある。
【００１９】
つまり、扉の閉じによる大きな室圧変動は、前述の如く、室圧調整用ダンパの開度が全開や全閉ないしそれらに近い状態に調整されて、対象室からの排気風量又は対象室への給気風量が扉の開き前とは大きく異なる風量になった状態において扉の閉じにより扉を通じての漏洩風が遮断されることによる室圧変動と、それに続く室圧制御上のオーバーシュートに原因する室圧変動（すなわち、扉を通じての漏洩風の遮断により生じた室圧変動を解消しようとして室圧制御手段により室圧調整用ダンパの開度が扉の開き時とは逆方向へ大きく調整されることによる室圧変動）とからなるが、第２特徴構成によれば、調整可能開度範囲の増大側への復帰を扉の閉じの検出時点から設定遅延時間が経過した時点で実行するから、第１特徴構成の実施により抑止されるとは言え扉の閉じによる漏洩風の遮断で生じた室圧変動を解消する側に室圧調整用ダンパの開度が室圧制御手段による室圧制御上で大きく調整されようとしても、設定遅延時間が経過するまでは、室圧制御手段による室圧調整ダンパの開度調整は縮小後の狭い調整可能開度範囲の上限開度又は下限開度までに制限され、これにより、扉の閉じ後における上記の如き室圧制御上のオーバーシュートに原因する室圧変動を一層効果的に抑止することができる。
【００２０】
すなわち、第２特徴構成によれば、第１特徴構成により扉閉じ時の大きな室圧変動を効果的に抑止し得ることと相まって、扉閉じ時の室圧変動を全体として一層効果的に抑止することができる。
【００２１】
なお、第２特徴構成の実施において、設定遅延時間としては室圧制御上のオーバーシュートに原因して生じる室圧変動の発生状況などに基づき適当な時間を設定すればよいが、室圧安定化手段において室圧変動の検出結果に基づき自己学習的に設定遅延時間を自動で決定させるようにしてもよい。
【００２２】
〔３〕本発明の第３特徴構成は、第１又は第２特徴構成の実施に好適な実施形態を特定するものであり、その特徴は、
排気ファンに接続した主排気風路に対して複数の前記対象室を並列的に接続する複数の分岐排気風路の夫々、又は、給気ファンに接続した主給気風路に対して複数の前記対象室を並列的に接続する分岐給気風路の夫々に前記室圧調整用ダンパを介装し、
前記室圧制御手段を、複数の前記対象室の各々について、対象室の検出室圧に基づき、その対象室に対する前記室圧調整用ダンパの開度を調整して対象室の室圧を目標室圧に調整する構成にし、
前記室圧制御手段による開度調整において複数の前記対象室に対する前記室圧調整用ダンパ夫々の開度が１００％開度未満の設定上限開度と０％開度よりも大きい設定下限開度との間の設定中間開度範囲内になるように、前記室圧調整用ダンパ夫々の検出開度に基づき前記排気ファン又は前記給気ファンの出力を調整して前記主排気風路又は前記主給気風路の風路圧を調整する風路圧制御手段を設け、
この構成において、前記室圧安定化手段を、複数の前記対象室の各々について、対象室の扉の開きが検出されたとき、その対象室に対する前記室圧調整用ダンパの調整可能開度範囲を縮小側に変更し、かつ、前記扉の閉じが検出されたとき、その対象室に対する前記室圧調整用ダンパの調整可能開度範囲を増大側に復帰させる構成にしてある点にある。
【００２３】
つまり、室圧調整の対象室が複数ある場合、一般的に、排気ファンに接続した主排気風路に対して複数の対象室を並列的に接続する複数の分岐排気風路の夫々、又は、給気ファンに接続した主給気風路に対して複数の対象室を並列的に接続する分岐給気風路の夫々に室圧調整用ダンパを介装し、そして、室圧制御手段を、複数の対象室の各々について、対象室の検出室圧に基づき、その対象室に対する室圧調整用ダンパの開度を調整して対象室の室圧を目標室圧に調整する構成が採られるが、この場合、複数の室圧調整用ダンパの夫々を室圧調整特性の良好な開度範囲（具体的には、開度の変化率と風量の変化率とが極力同等な開度範囲）で室圧調整機能させることを目的に、上記の風路圧制御手段を設けることも多い。
【００２４】
しかし、この風路圧制御手段を設けるシステムでは、扉の開閉による大きな室圧変動でいずれかの対象室に対する室圧調整用ダンパの開度が設定中間開度範囲を逸脱する状態に大きく調整されることに起因して、排気ファン又は給気ファンの出力調整により主排気風路又は主給気風路の風路圧が調整され、これに続き、その風路圧調整の影響による他の対象室の室圧変動により他の対象室に対する室圧調整用ダンパの開度が設定中間開度範囲を逸脱する状態に調整されることで、再び排気ファン又は給気ファンの出力調整により主排気風路又は主給気風路の風路圧が先とは逆向きに調整されるといったことが生じて、排気ファン又は給気ファンの出力調整による風路圧制御が不安定化し、そのことで却って対象室の室圧変動が助長される虞がある。
【００２５】
これに対し、第３特徴構成によれば、複数の対象室の各々について、対象室の扉の開きが検出されたとき、その対象室に対する室圧調整用ダンパの調整可能開度範囲を縮小側に変更することから、いずれかの対象室の扉の開き時に風路圧制御手段による風路圧調整上で主排気風路又は主給気風路の風路圧が変更されるのを抑止することができ、これにより、いずれかの対象室の扉の開きに原因する上記の如き風路圧制御の不安定化を効果的に抑止することができる。
【００２６】
また、それに加え、いずれかの対象室の扉の開き時において風路圧制御手段による風路圧調整上で主排気風路又は主給気風路の風路圧が変更されるのを抑止し得ることで、扉の開き時に、縮小後の調整可能開度範囲内での室圧制御手段による室圧調整用ダンパの開度調整により扉開き時の室圧変動を迅速に抑止するといった前記第１特徴構成による室圧安定化機能を、主排気風路又は主給気風路の風路圧が安定した状況の下で、一層確実かつ効果的に発揮させることもでき、これらのことから、対象室の室圧を極力安定的に目標室圧に保つといった所期の目的を達成する上で、さらに優れた室圧制御システムにすることができる。
【００２７】
なお、第３特徴構成を第２特徴構成と併行実施すれば、扉の閉じの検出時点から設定遅延時間が経過するまで室圧調整用ダンパの調整可能開度範囲が縮小状態に保たれることで、扉の閉じ時における室圧変動に対しても風路圧制御手段による風路圧調整上で主排気風路又は主給気風路の風路圧が変更されるのを抑止することができて、扉閉じ時の室圧変動に原因する前記の如き風路圧制御の不安定化も抑止することができ、また、扉の閉じ時に、縮小後の調整可能開度範囲内での室圧制御手段による室圧調整用ダンパの開度調整により扉閉じ時の室圧変動を迅速に抑止するといった機能も、主排気風路又は主給気風路の風路圧が安定した状況の下で一層確実かつ効果的に発揮させることができる。
【００２８】
第３特徴構成の実施において、設定中間開度範囲の上限開度及び下限開度の夫々と、縮小側へ変更した後における調整可能開度範囲の上限開度及び下限開度の夫々との大小関係は、システムの運転条件などに応じて適宜決定すればよい。
【発明を実施するための最良の形態】
【００２９】
図１は複数の対象室１ａ〜１ｃに対する空調システムを示し、２は給気ファンＦｓに接続した主給気風路、３は排気ファンＦｒに接続した主排気風路であり、各対象室１ａ〜１ｃは分岐給気風路２ａを通じて主給気風路２に対し並列的に接続するとともに、分岐排気風路３ａを通じて主排気風路３に対し同じく並列的に接続してある。また、４は主給気風路２及び分岐給気風路２ａを通じて対象室１ａ〜１ｃに供給する空気ＳＡを温湿度調整する空調機である。
【００３０】
Ｖｓは分岐給気風路２ａの夫々に介装した風量調整用ダンパ、５は分岐給気風路２ａ夫々の通風量ｑｓを検出する風量センサ、６Ａは風量調整用ダンパＶｓを操作する風量制御器であり、これら風量制御器６Ａは、風量センサ５による検出通風量ｑｓと中央制御器ＣＣから指定される目標通風量ｑｓｓとの偏差Δｑｓに応じ風量調整用ダンパＶｓの開度を調整することで各分岐給気風路２ａの通風量ｑｓ（すなわち、各対象室１ａ〜１ｃに対する給気風量）を目標通風量ｑｓｓに調整する風量制御を実行する。
【００３１】
Ｖｒは分岐排気風路３ａの夫々に介装した室圧調整用ダンパ、７は対象室１ａ〜１ｃ夫々の室圧ｐ（具体的には基準圧力と室内圧力との差圧）を検出する室圧センサ、６Ｂは室圧調整用ダンパＶｒを操作する室圧制御器であり、これら室圧制御器６Ｂは、室圧センサ７による検出室圧ｐと中央制御器ＣＣから指定される目標室圧ｐｓとの偏差Δｐに応じ室圧調整用ダンパＶｒの開度を調整することで各対象室１ａ〜１ｃの室圧ｐを目標室圧ｐｓに調整する室圧制御を実行する。
【００３２】
８ａは主給気風路２の風路圧ｆｓ（風路の内圧）を検出する給気側圧力センサ、９Ａは給気ファンＦｓを操作する給気側ファン制御器であり、この給気側ファン制御器９Ａは、給気側圧力センサ８ａによる検出風路圧ｆｓと中央制御器ＣＣから指定される給気側目標風路圧ｆｓｓとの偏差Δｆｓに応じインバータ制御により給気ファンＦｓの出力を調整することで主給気風路２の風路圧ｆｓを給気側目標風路圧ｆｓｓに調整する給気側ファン制御を実行する。
【００３３】
また、８ｂは主排気風路３の風路圧ｆｒ（風路の内圧）を検出する排気側圧力センサ、９Ｂは排気ファンＦｒを操作する排気側ファン制御器であり、この排気側ファン制御器９Ｂは、排気側圧力センサ８ｂによる検出風路圧ｆｒと中央制御器ＣＣから指定される排気側目標風路圧ｆｒｓとの偏差Δｆｒに応じインバータ制御により排気ファンＦｒの出力を調整することで主排気風路３の風路圧ｆｒを排気側目標風路圧ｆｒｓに調整する排気側ファン制御を実行する。
【００３４】
１０Ａ，１０Ｂは中央制御器ＣＣにおける給気側及び排気側の風路圧設定部であり、給気側の風路圧設定部１０Ａは、風量制御器６Ａによる前記の風量制御において風量調整用ダンパＶｓ夫々の開度ａ１〜ａ３が、１００％開度（全開）未満の設定上限開度ｘ１と０％開度（全閉）よりも大きい設定下限開度ｘ２との間の給気側の設定中間開度範囲Ｘの範囲内になるように、風量調整用ダンパＶｓ夫々の検出開度ａ１〜ａ３に応じて給気側目標風路圧ｆｓｓを設定変更する給気側の風路圧変更制御を実行する。
【００３５】
そしてまた、排気側の風路圧設定部１０Ｂは、室圧制御器６Ｂによる前記の室圧制御において室圧調整用ダンパＶｒ夫々の開度ｂ１〜ｂ３が、１００％開度未満の設定上限開度ｙ１と０％開度よりも大きい設定下限開度ｙ２との間の排気側の設定中間開度範囲Ｙの範囲内になるように、室圧調整用ダンパＶｒ夫々の検出開度ｂ１〜ｂ３に応じて排気側目標風路圧ｆｒｓを設定変更する排気側の風路圧変更制御を実行する。
【００３６】
つまり、給気側ファン制御器９Ａ及び給気側の風路圧設定部１０Ａは、風量制御器６Ａによる前記の風量制御において風量調整用ダンパＶｓ夫々の開度ａ１〜ａ３が給気側の設定中間開度範囲Ｘの範囲内になるように、風量調整用ダンパＶｓの検出開度ａ１〜ａ３に基づき給気ファンＦｓの出力を調整して主給気風路２の風路圧ｆｓを調整する給気側の風路圧制御手段を構成し、この給気側の風路圧調整により風量調整用ダンパＶｓの開度ａ１〜ａ３の全てが図２に示す如く給気側の設定中間開度範囲Ｘに入るようにすることで、風量制御器６Ａが風量調整用ダンパＶｓを操作して実行する分岐給気風路２ａ夫々の通風量調整（各対象室１ａ〜１ｃに対する給気風量の調整）が感度面及び精度面で良好に行われるようにしてある。
【００３７】
また同様に、排気側ファン制御器９Ｂ及び排気側の風路圧設定部１０Ｂは、室圧制御器６Ｂによる前記の室圧制御において室圧調整用ダンパＶｒ夫々の開度ｂ１〜ｂ３が排気側の設定中間開度範囲Ｙの範囲内になるように、室圧調整用ダンパＶｒの検出開度ｂ１〜ｂ３に基づき排気ファンＦｒの出力を調整して主排気風路３の風路圧ｆｒを調整する排気側の風路圧制御手段を構成し、この排気側の風路圧調整により室圧調整用ダンパＶｒの開度ｂ１〜ｂ３の全てが同図２に示す如く排気側の設定中間開度範囲Ｙに入るようにすることで、室圧制御器６Ｂが室圧調整用ダンパＶｒを操作して実行する対象室１ａ〜１ｃ夫々の室圧調整が感度面及び精度面で良好に行われるようにしてある。
【００３８】
給気側の風路圧設定部１０Ａは、具体的には、風量調整用ダンパＶｓの検出開度ａ１〜ａ３のうち最大のものが給気側の設定中間開度範囲Ｘを大開度側に逸脱しているとき給気側の目標風路圧ｆｓｓを上昇側に変更し、逆に風量調整用ダンパＶｓの検出開度ａ１〜ａ３のうち最小のものが給気側の設定中間開度範囲Ｘを小開度側に逸脱してるとき給気側の目標風路圧ｆｓｓを低下側に変更し、また、風量調整用ダンパＶｓの検出開度ａ１〜ａ３が全て給気側の設定中間開度範囲Ｘの範囲内にあるときには給気側の目標風路圧ｆｓｓを現状値に維持する。
【００３９】
すなわち、風量調整用ダンパＶｓの検出開度ａ１〜ａ３のうち最大のものが給気側の設定中間開度範囲Ｘを大開度側に逸脱しているときは、給気側の目標風路圧ｆｓｓを上昇側に変更することにより、給気側ファン制御器９Ａによるファン出力の調整上で給気ファンＦｓの出力が増大側に調整されるようにして、この増大側への給気ファンＦｓの出力調整に対して風量制御器６Ａによる風量制御上で風量調整用ダンパＶｓの夫々が閉じ側に開度調整されるようにし、また逆に、風量調整用ダンパＶｓの検出開度ａ１〜ａ３のうち最小のものが給気側の設定中間開度範囲Ｘを小開度側に逸脱しているときは、給気側の目標風路圧ｆｓｓを低下側に変更することにより、給気側ファン制御器９Ａによるファン出力の調整上で給気ファンＦｓの出力が減少側に調整されるようにして、この減少側への給気ファンＦｓの出力調整に対して風量制御器６Ａによる風量制御上で風量調整用ダンパＶｓの夫々が開き側に開度調整されるようにし、これにより、風量調整用ダンパＶｓの開度ａ１〜ａ３が全て給気側の設定中間開度範囲Ｘに入るようにする。
【００４０】
一方、排気側の風路圧設定部１０Ｂは、具体的には、室圧調整用ダンパＶｒの検出開度ｂ１〜ｂ３のうち最大のものが排気側の設定中間開度範囲Ｙを大開度側に逸脱しているとき排気側の目標風路圧ｆｒｓを低下側に変更し、逆に室圧調整用ダンパＶｒの検出開度ｂ１〜ｂ３のうち最小のものが排気側の設定中間開度範囲Ｙを小開度側に逸脱しているとき排気側の目標風路圧ｆｒｓを上昇側に変更し、また、室圧調整用ダンパＶｒの検出開度ｂ１〜ｂ３が全て排気側の設定中間開度範囲Ｙの範囲内にあるときには排気側の目標風路圧ｆｒｓを現状値に維持する。
【００４１】
すなわち、室圧調整用ダンパＶｒの検出開度ｂ１〜ｂ３のうち最大のものが排気側の設定中間開度範囲Ｙを大開度側に逸脱しているときは、排気側の目標風路圧ｆｒｓを低下側に変更することにより、排気側ファン制御器９Ｂによるファン出力の調整上で排気ファンＦｒの出力が増大側に調整されるようにして、この増大側への排気ファンＦｒの出力調整に対して室圧制御器６Ｂによる室圧制御上で室圧調整用ダンパＶｒの夫々が閉じ側に開度調整されるようにし、また逆に、室圧調整用ダンパＶｒの検出開度ｂ１〜ｂ３のうち最小のものが排気側の設定中間開度範囲Ｙを小開度側に逸脱しているときは、排気側の目標風路圧ｆｒｓを上昇側に変更することにより、排気側ファン制御器９Ｂによるファン出力の調整上で排気ファンＦｒの出力が減少側に調整されるようにして、この減少側への排気ファンＦｒの出力調整に対して室圧制御器６Ｂによる室圧制御上で室圧調整用ダンパＶｒの夫々が開き側に開度調整されるようにし、これにより、室圧調整用ダンパＶｒの開度ｂ１〜ｂ３が全て排気側の設定中間開度範囲Ｙに入るようにする。
【００４２】
１１は隣接する第１対象室１ａと第２対象室１ｂとの間の室壁に設けられた第１扉、１２は隣接する第２対象室１ｂと第３対象室１ｃとの間の室壁に設けられた第２扉であり、これら扉１１，１２には各扉１１，１２の開閉を検出する扉センサ１１ａ，１２ａを装備してある。
【００４３】
また、中央制御器ＣＣには、扉センサ１１ａ，１２ａの検出情報ｉｄに基づき各扉１１，１２の開き時において室圧制御器６Ｂによる室圧調整用ダンパＶｒの開度調整に制限を加える室圧安定化部１３を設けてあり、具体的には、この室圧安定化部１３は次の（イ）〜（ハ）の制御を実行する（図４参照）。
【００４４】
（イ）第１扉１１及び第２扉１２がともに閉じ状態（厳密には、後述する設定遅延時間Ｔｄ内を含まず）にあるとき、室圧制御器６Ｂによる開度調整上での室圧調整用ダンパＶｒ夫々の調整可能開度範囲ＺＺを図３の（イ）に示す如き１００％開度〜０％開度にわたる通常開度範囲Ｚａにして、室圧制御器６Ｂが室圧調整用ダンパＶｒを１００％開度〜０％開度の範囲Ｚａにおいて開度調整するのを許す。
【００４５】
（ロ）第１扉１１の開きが扉センサ１１ａにより検出されたとき、第１扉１１の開きで通じる第１対象室１ａ及び第２対象室１ｂの夫々に対する室圧調整用ダンパＶｒの調整可能開度範囲ＺＺを、図３の（ロ）に示す如く１００％開度よりも小さい設定上限開度ｚ１（例えば８０％開度）と０％開度よりも大きい設定下限開度ｚ２（例えば３０％開度）との間の設定縮小開度範囲Ｚｂに変更する。
【００４６】
また同様に、第２扉１２の開きが扉センサ１２ａにより検出されたときには、第２扉１２の開きで通じる第２対象室１ｂ及び第３対象室１ｃの夫々に対する室圧調整用ダンパＶｒの調整可能開度範囲ＺＺを設定縮小開度範囲Ｚｂに変更する。
【００４７】
（ハ）第１扉１１の閉じが扉センサ１１ａにより検出されると、その閉じの検出時点から設定遅延時間Ｔｄを経過した時点で、第１対象室１ａ及び第２対象室１ｂの夫々に対する室圧調整用ダンパＶｒの調整可能開度範囲ＺＺを上記の設定縮小開度範囲Ｚｂから通常開度範囲Ｚａに復帰させる。
【００４８】
また同様に、第２扉１２の閉じが扉センサ１２ａにより検出されると、その閉じの検出時点から設定遅延時間Ｔｄを経過した時点で、第２対象室１ｂ及び第３対象室１ｃの夫々に対する室圧調整用ダンパＶｒの調整可能開度範囲ＺＺを設定縮小開度範囲Ｚｂから通常開度範囲Ｚａに復帰させる。
【００４９】
つまり、このように扉１１，１２の開き時に室圧調整用ダンパＶｒの調整可能開度範囲ＺＺを縮小側に変更することで、扉１１，１２が開かれた対象室１ａ〜１ｃの扉開き時における室圧変動が目標室圧ｐｓからの大きな変動であって、扉１１，１２の閉じ後にしか解消し得ないものである場合には、その扉開き時の室圧変動に続いて生じる扉閉じ時の大きな室圧変動を効果的に抑止できるように、また、扉１１，１２が開かれた対象室１ａ〜１ｃの扉開き時における室圧変動が軽微なものである場合には、扉閉じ時の室圧変動の原因となる扉開き時の室圧変動そのものを効果的に抑止できるようにしてある。
【００５０】
すなわち、扉１１，１２が開かれた対象室１ａ〜１ｃの扉開き時における室圧変動が目標室圧ｐｓからの大きな変動であって、扉１１，１２の閉じ後にしか解消し得ないものである場合には、扉１１，１２が開かれた対象室１ａ〜１ｃに対する室圧調整用ダンパＶｒの開度ｂ１〜ｂ３が室圧制御器６Ｂによる室圧制御上で扉開き時の室圧変動の解消側へ大きく調整されようとすることに対し、それら室圧調整用ダンパＶｒの調整可能開度範囲ＺＺを設定縮小開度範囲Ｚｂに縮小にすることで、室圧制御器６Ｂによる室圧調整用ダンパＶｒの開度調整を縮小後の調整可能開度範囲ＺＺ（＝Ｚｂ）の上限開度ｚ１又は下限開度ｚ２までに制限し、これにより、対象室１ａ〜１ｃからの排気風量ｑｒが扉１１，１２の開き後において扉１１，１２の開き前と全く異なった風量に調整されてしまうのを抑止して、その大きな排気風量変化に原因する扉閉じ時の大きな室圧変動を抑止する。
【００５１】
また、扉１１，１２が開かれた対象室１ａ〜１ｃの扉開き時における室圧変動が軽微なものである場合には、扉１１，１２が開かれた対象室１ａ〜１ｃに対する室圧調整用ダンパＶｒを縮小後の調整可能開度範囲ＺＺ（＝Ｚｂ）の範囲内において室圧制御器６Ｂにより開度調整することで、室圧制御器６Ｂによる本来の室圧調整機能を縮小後の調整可能開度範囲ＺＺ（＝Ｚｂ）の範囲内で活かす形態にして、扉開き時の室圧変動そのものを抑止する。
【００５２】
そしてまた、扉１１，１２の閉じ時には、扉１１，１２の閉じの検出時点から設定遅延時間Ｔｄを経過した時点で室圧調整用ダンパＶｒの調整可能開度範囲ＺＺを通常開度範囲Ｚａに拡大復帰させることにより、扉１１，１２の閉じ時に扉１１，１２を通じての漏洩風が遮断されることで生じる室圧変動に続く室圧制御器６Ｂによる室圧制御上のオーバーシュートに原因する室圧変動も効果的に抑止するようにしてある。
【００５３】
なお、第１扉１１が閉じられた状態で第２扉１２が開かれたときには、第１対象室１ａに対する室圧調整用ダンパＶｒの調整可能開度範囲ＺＺは通常開度範囲Ｚａに維持され、同様に、第２扉１２が閉じられた状態で第１扉１１が開かれたときには、第３対象室１ｃに対する室圧調整用ダンパＶｒの調整可能開度範囲ＺＺは通常開度範囲Ｚａに維持される。
【００５４】
また、本実施形態の空調システムでは、扉１１，１２が開かれた対象室１ａ〜１ｃに対対する室圧調整用ダンパＶｒの調整可能開度範囲ＺＺを縮小するのに、室圧調整用ダンパＶｒの検出開度ｂ１〜ｂ３が設定縮小開度範囲Ｚｂの上限開度ｚ１まで増大したとき、室圧制御器６Ｂによるそれ以上の開度増大側への室圧調整用ダンパＶｒの開度調整を禁止し、また、室圧調整用ダンパＶｒの検出開度ｂ１〜ｂ３が設定縮小開度範囲Ｚｂの下限開度ｚ２まで減少したとき、室圧制御器６Ｂによるそれ以上の開度減少側への室圧調整用ダンパＶｒの開度調整を禁止する方式を採用している。
【００５５】
以上要するに、本実施形態において、室圧制御器６Ｂは、対象室１ａ〜１ｃの検出室圧ｐに基づき、室圧調整用ダンパＶｒの開度ｂ１〜ｂ３を調整して対象室１ａ〜１ｃの室圧ｐを目標室圧ｐｓに調整する室圧制御手段を構成する。
【００５６】
また、中央制御器ＣＣにおける室圧安定化部１３は、対象室１ａ〜１ｃの扉１１，１２の開きが検出されたとき、室圧調整用ダンパＶｒの調整可能開度範囲ＺＺを縮小側に変更し、かつ、その扉１１，１２の閉じが検出されたとき、室圧調整用ダンパＶｒの調整可能開度範囲ＺＺを増大側に復帰させる室圧安定化手段を構成する。
【００５７】
〔別の実施形態〕
次に本発明の別実施形態を列記する。
前述の実施形態では、室圧制御を実施する対象室１ａ〜１ｃどうしの間の扉１１，１２の開閉に応じて室圧調整用ダンパＶｒの調整可能開度範囲ＺＺを変更する例を示したが、対象室１ａ〜１ｃと通路等との間の扉の開きが検出されたとき、その扉が開かれた対象室１ａ〜１ｃに対する室圧調整用ダンパＶｒの調整可能開度範囲ＺＺを縮小側に変更し、かつ、その扉が閉じられたとき、室圧調整用ダンパＶｒの調整可能開度範囲ＺＺを拡大側に復帰するようにしてもよい。
【００５８】
前述の実施形態では、扉１１，１２が閉じ状態（設定遅延時間Ｔｄ内を除く）にあるとき、室圧調整用ダンパＶｒの調整可能開度範囲ＺＺを１００％開度〜０％開度にわたる開度範囲Ｚａにするようにしたが、扉１１，１２が閉じ状態（設定遅延時間Ｔｄ内を除く）にあるとき、室圧調整用ダンパＶｒの調整可能開度範囲ＺＺを１００％開度よりも小さい上限開度と０％開度よりも大きい下限開度との間の設定制限開度範囲Ｚａ′（＜Ｚａ）にしておき、そして、扉１１，１２が開かれたとき、室圧調整用ダンパＶｒの調整可能開度範囲ＺＺを設定制限開度範囲Ｚａ′よりも縮小側に変更する構成にしてもよい。
【００５９】
前述の実施形態では、対象室１ａ〜１ｃからの排気風路３ａに室圧調整用ダンパＶｒを介装する構成を示したが、本発明は、対象室１ａ〜１ｃへの給気風路２ａに室圧調整用ダンパＶｒを介装する場合にも適用でき、また、対象室が一室の場合にも適用できる。
【産業上の利用可能性】
【００６０】
本発明は、室圧制御を実施する半導体製造用のクリーンルームや薬品製造用のクリーンルームへの適用が特に好適であるが、室圧調整用ダンパの開度調整により対象室からの排気風量又は対象室への給気風量を調整して対象室の室圧を目標室圧に調整する室圧制御を実施する施設であれば、対象室の用途にかかわらず適用が可能である。
【図面の簡単な説明】
【００６１】
【図１】空調システムの全体構成図
【図２】風路圧調整の調整方式を説明する図
【図３】調整可能開度範囲の変更形態を示す図
【図４】調整可能開度範囲の変更動作を説明するグラフ
【符号の説明】
【００６２】
１ａ〜１ｃ    対象室
ｑｒ          排気風量
ｑｓ          給気風量
Ｖｒ          室圧調整用ダンパ
ｐ            室圧
ｂ１〜ｂ３    室圧調整用ダンパの開度
ｐｓ          目標室圧
６Ｂ          室圧制御手段
１１，１２    扉
ＺＺ          調整可能開度範囲
１３          室圧安定化手段
Ｔｄ          設定遅延時間
Ｆｒ          排気ファン
３            主排気風路
３ａ          分岐排気風路
Ｆｓ          給気ファン
２            主給気風路
２ａ          分岐給気風路
ｙ１          設定上限開度
ｙ２          設定下限開度
Ｙ            設定中間開度範囲
ｆｒ          主排気風路の風路圧
ｆｓ          主給気風路の風路圧
９Ｂ，１０Ｂ  排気側の風路圧制御手段
９Ａ，１０Ａ  給気側の風路圧制御手段
【図１】
2006078086.tif 000003
【図２】
2006078086.tif 000004
【図３】
2006078086.tif 000005
【図４】
2006078086.tif 000006